(57)【特許請求の範囲】
【請求項１】
環状の親バーナと、その親バーナの中央に位置し親バーナより小型の子バーナとを備え、火力調節を行う回転操作式の火力調節つまみを消火位置から所定の角度回して両バーナに点火を行う点火位置と、この点火位置を超えて更に火力調節つまみを回動させることにより親バーナを消火させると共に子バーナの火力を絞るガスコンロ装置において、上記点火位置から更に火力調節つまみを回動させる範囲内であって、親バーナの火力が逆火が生じる所定の小火状態から消火状態になるまでの範囲を親バーナについての逆火領域として、火力調節つまみを上記点火位置側から逆火領域に向かって回動する際に逆火領域の直前で火力調節つまみの回動トルクが増加するトルク増加点を設置したことを特徴とするガスコンロ装置。
【請求項２】
上記逆火領域を通過した状態であって親バーナが消火状態から火力調節つまみを点火位置側に回動する際に、逆火領域の直前で火力調節つまみの回動トルクが増加する第２のトルク増加点を設置したことを特徴とする請求項１に記載のガスコンロ装置。
【請求項３】
上記トルク増加点から逆火領域を通過した位置、および上記第２のトルク増加点から逆火領域を通過した位置に、回動トルクの増加により逆火領域を通過したことを確認し得る確認トルク増加点を設けたことを特徴とする請求項２に記載のガスコンロ装置。
【請求項４】
少なくとも上記トルク増加点、第２のトルク増加点、確認トルク増加点のいずれかで、球体が孔に嵌ることによってクリック感が生じるクリック機構を設けたことを特徴とする請求項３に記載のガスコンロ装置。
【請求項５】
火力調節つまみの回動位置が点火位置でクリック感が生じるクリック機構を設け、この点火位置でのクリック機構で孔に嵌る球体の数より上記トルク増加点および第２のトルク増加点で孔に嵌る球体の個数を多くして、上記点火位置から火力操作つまみを回動するためのトルクよりトルク増加点および第２のトルク増加点から火力操作つまみを回動するためのトルクが大きくなるようにしたことを特徴とする請求項４に記載のガスコンロ装置。
【発明の詳細な説明】
【技術分野】
【０００１】
本発明は、環状の親バーナと、その親バーナの中央に位置し親バーナより小型の子バーナとを備えたガスコンロ装置に関する。
【背景技術】
【０００２】
ガスコンロ装置に備えられたガスバーナに対して最大燃焼量、すなわち最大火力を大きくする要請がある。最大火力を大きくするためにはバーナを大型化すればよいが、バーナを大きくすると火力を絞った際に火力が安定せず、また炎がバーナの炎孔からバーナ本体内に入り込み、バーナ本体内で燃焼し続ける逆火という現象が生じる恐れがある（例えば、特許文献１参照）。
【０００３】
このような不具合を解消するため、最大燃焼量が大きい比較的大型の親バーナと、その親バーナよりも小型の子バーナとの２個の親子バーナを備えたガスコンロ装置が多数提案されている（例えば、特許文献２参照）。
【０００４】
このような親子バーナを備えたガスコンロ装置では、例えば小さい火力で煮物料理を行う際には、親バーナの火力を絞って消火させ、子バーナのみを着火状態にして使用する。
【先行技術文献】
【特許文献】
【０００５】
【特許文献１】特開２００３−２８４２８号公報（段落０００５）
【特許文献２】特開２００６−２９７２７号公報（図１）
【発明の概要】
【発明が解決しようとする課題】
【０００６】
親バーナは比較的大型のバーナであるため、火力を絞っていくと、親バーナの炎孔からのガスの噴出速度が低速になり、ガスの燃焼速度に対して噴出速度が遅くなると逆火しやすくなる。炎孔の周囲の温度が高温でなければ炎が炎孔を通ってバーナ本体内に入ろうとしても炎孔の周りに熱を奪われて消火されるが、強火で長時間調理を行った後の状態のように炎孔の周囲が高温になっていると、炎が消火されずに炎孔を通ってバーナ本体内に入ってしまう、逆火現象が起きやすくなる。
【０００７】
但し、調理終了の際のようにバーナを消火させる直前で逆火が生じたとしても、その直後にバーナへのガスの供給自体が停止するので、逆火は生じない。
【０００８】
ところが、上記親子バーナを備えたガスコンロ装置特有の問題として、親バーナを消火して子バーナのみを燃焼状態にして調理を継続する際に、親バーナの火力を絞る途中で親バーナに逆火が生じ、かつ親バーナへのガスの供給が完全に停止されず微少ながらガスの供給が継続する状態が発生すると、親バーナのバーナ本体内で燃焼が継続することとなり、望ましくない。
【０００９】
そこで本発明は、上記の問題点に鑑み、親子バーナを備えたガスコンロ装置で、親バーナに逆火が生じないガスコンロ装置を提供することを課題とする。
【課題を解決するための手段】
【００１０】
上記課題を解決するために本発明によるガスコンロ装置は、環状の親バーナと、その親バーナの中央に位置し親バーナより小型の子バーナとを備え、火力調節を行う回転操作式の火力調節つまみを消火位置から所定の角度に回して両バーナに点火を行う点火位置と、この点火位置を超えて更に火力調節つまみを回動させることにより親バーナを消火させると共に子バーナの火力を絞るガスコンロ装置において、上記点火位置から更に火力調節つまみを回動させる範囲内であって、親バーナの火力が逆火が生じる所定の小火状態から消火状態になるまでの範囲を親バーナについての逆火領域として、火力調節つまみを上記点火位置側から逆火領域に向かって回動する際に逆火領域の直前で火力調節つまみの回動トルクが増加するトルク増加点を設置したことを特徴とする。
【００１１】
点火位置側から逆火領域に向かって火力調節つまみを回動させる際に、上記トルク増加点が設定されていると、火力調節つまみはこのトルク増加点で一旦停止する。この状態では火力調節つまみはまだ逆火領域に入っていない。更に火力調節つまみを回動するためには大きなトルクを火力調節つまみに作用させることになるが、トルク増加点を過ぎると回動に必要なトルクは減少する。すると、火力調節つまみは操作つまみに作用させている大きなトルクのまま勢いよく回動され、逆火領域内を通過する。
【００１２】
なお、上記構成では親バーナの火力を点火位置の大火状態から絞る際に逆火領域内で火力調節つまみが停止しないようにするが、上記逆火領域を通過した状態であって親バーナが消火状態から火力調節つまみを点火位置側に回動する際に、逆火領域の直前で火力調節つまみの回動トルクが増加する第２のトルク増加点を設置してもよい。
【００１３】
また、上記トルク増加点から逆火領域を通過した位置、および上記第２のトルク増加点から逆火領域を通過した位置に、回動トルクの増加により逆火領域を通過したことを確認し得る確認トルク増加点を設ければ、火力調節をする際に、逆火領域を通過したことを確認できるばかりか、逆火領域を通過した後火力調節つまみを回しすぎてしまうということも防止できる。
【００１４】
回動トルクを増加させる機構は特に限定されないが、例えば、少なくとも上記トルク増加点、第２のトルク増加点、確認トルク増加点のいずれかで、球体が孔に嵌ることによってクリック感が生じるクリック機構を設けることが考えられる。
【００１５】
そして、このようにクリック機構を設ける場合には、火力調節つまみの回動位置が上記トルク増加点以外の位置でもクリック感が生じるようにクリック機構を設け、このクリック機構で孔に嵌る球体の数よりトルク増加点で孔に嵌る球体の個数を多くして、上記トルク増加点以外の位置から火力操作つまみを回動するためのトルクよりトルク増加点から火力操作つまみを回動するためのトルクが大きくなるようにすることが望まれる。このように、トルク増加点でのトルクが他の位置でのトルクより大きくなるように設置すると、トルク増加点を通過する際により大きなトルクを必要とする。ところが、トルク増加点を通過した瞬間、回動に必要なトルクは減少するので、他の位置よりもトルク増加点を通過した後、勢い余って回動する範囲が大きくなる。これにより、確実に逆火範囲を通過させることができる。
【発明の効果】
【００１６】
以上の説明から明らかなように、本発明は、親バーナの火力を絞っていく途中でトルク増加点が設けられていることにより、トルク増加点を通過する際のトルクでそのまま勢いよく火力調節つまみが回動されて逆火領域を通過するため、親バーナの火力を絞る途中で火力調節つまみが逆火領域内で停止することが防止される。
【図面の簡単な説明】
【００１７】
【図１】本発明の一実施の形態の構成を示す図
【図２】親子バーナの斜視図
【図３】ガスコックの斜視図
【図４】火力調節つまみの回動角度と親子バーナの火力の変化を示す図
【図５】ガスコックの分解図
【図６】回動軸と閉子との連結機構を示す分解図
【図７】回転板の詳細を示す図
【図８】回転板の回転角度によるクリック感の変化を示す図
【図９】火力変化とクリック感の発生タイミングとの関係を示す図
【図１０】変形例での回転板の回転角度によるクリック感の変化を示す図
【発明を実施するための形態】
【００１８】
図１を参照して、１は本発明によるガスコンロ装置の一例である。このコンロ装置１はいわゆる二口コンロであって天板に２個のガスバーナ２を有しており、各々のガスバーナ２の火力調節は同じく天板に設けられた火力調節つまみ１１を回動することによって行われる。
【００１９】
図２を参照して、各ガスバーナ２は環状の親バーナ２１と、その親バーナ２１の中央に位置するように設けられた子バーナ２２とから構成されている。両バーナ２１，２２共に外周に炎孔が形成されている。また、親バーナ２１に対して子バーナ２２は最大燃焼量が小さい小型に設定されている。但し、子バーナ２２の最大燃焼量は親バーナ２１の最大燃焼量よりも小さいが、子バーナ２２の最小燃焼量は親バーナ２１の最小燃焼量よりも小さく設定されており、親バーナ２１の最大燃焼量から子バーナ２２の最小燃焼量までの幅は単独のガスバーナの場合より広くなるように設定されている。
【００２０】
図３および図４を参照して、上記火力調節つまみ１１の回転角度に対する各バーナ２１，２２の火力の推移を説明する。３はガスコックであって、火力調節つまみ１１が取り付けられている回動軸３１はほぼ１８０度の範囲で回動することができる。両バーナ２１，２２が消火状態である消火位置を０度として、火力調節つまみ１１を左方向に回動すると、約９０度あたりに点火位置が設置されている。消火位置からこの点火位置までは、両バーナ２１，２２に対して共にガスの供給量がゼロの状態から最大燃焼量に相当する量まで順次増加する。すなわち、火力調節つまみ１１が点火位置に到達した時点では、両バーナ２１，２２共に最大燃焼量に相当するガス量が供給されている。そして、点火位置ではマイクロスイッチ３２がオンし、図外のスパーカが作動して親バーナ２１に点火が行われ、更にほぼ同時に親バーナ２１から子バーナ２２に火移り点火が行われる。
【００２１】
点火位置で火力調節つまみ１１はそれ以上左方向へ回動できないように一旦ロックがかかるが、火力調節つまみ１１から手を離すとそのロックは解除され更に左方向に回動できる状態になる。点火位置から火力調節つまみ１１を右方向に戻すと、両バーナ２１，２２の火力は共に減少していき、消火位置で両バーナ２１，２２は消火状態になる。一方、点火位置から更に火力調節つまみ１１を左方向に回動すると、まず親バーナ２１の火力が連続して絞られて小さくなり、最終的には消火する。また、親バーナ２１が消火したあと、火力調節つまみ１１を更に左方向に回動すると、子バーナ２２の火力が連続して小さくなり、子バーナ２２の最小燃焼状態（ＭＩＮで示す位置）になると、火力調節つまみ１１はそれ以上左方向に回動できなくなる。
【００２２】
点火位置（９０度位置）から火力調節つまみ１１を更に左方向に回動して親バーナ２１の火力が絞られて、本実施の形態では１２０度の回動位置に到達すると、その位置での火力から親バーナ２１が消火するまでの間を逆火領域と設定した。
【００２３】
そして本発明は、火力調節つまみ１１がこの逆火領域を左回転時および右回転時の双方共に通過する際に、逆火領域手前でクリック感が生じることにより一旦回動が停止され、クリック機構を通過する際のトルクで一気に火力調節つまみ１１を回動させることにより火力調節つまみ１１が逆火領域内で停止せずに、逆火領域を通過させることを特徴とする。
【００２４】
具体的な構成を図５から図８を参照して説明する。回動軸３１には回動軸３１と共に回動する円板４１が設けられている。この円板４１には３個のくぼみが形成されており、各くぼみには各々鋼球４２ａ，４２ｂ，４２ｃがセットされている。そして、各くぼみから鋼球４２ａ，４２ｂ，４２ｃが脱落しないように円板４１の上方からバネ板４３が取り付けられている。このバネ板４３には３個の孔４３ａ，４３ｂ，４３ｃが設けられている。
【００２５】
ところで、このガスコック３は円錐形状の閉子３５を回転させることにより親子バーナ２へのガス量を増減するタイプのものである。図６に示すように、回動軸３１は閉子３５に対して直接連結されているのではなく、ピン３３および連結部材３４を介して連結されている。回動軸３１の下端にはスリット３１ａが形成されており、そのスリット３１ａにピン３３が嵌る。一方、ピン３３の両端は連結部材３４の溝３４ａに嵌る。従って、回動軸３１を回動させると連結部材３４が回動する。また、連結部材３４の下端には一対の爪３４ｂが形成され、その爪３４ｂが閉子３５の上部に形成した溝３５ａに係合している。従って回動軸３１を回動すると上記のように連結部材３４が回動し、更に閉子３５が回動する。
【００２６】
このように回動軸３１が閉子３５に対して直接連結されていないため、回動軸３１と閉子３５との間に遊びが生じ、回動軸３１を左右に回動すると、閉子３５も左右に回動するもののヒステリシスが生じる。一方、回転板４１も回動軸３１と共に回動するが、回転板４１の回動位相と閉子３５の回動位相を一致させるためには、回動軸３１と回転板４１との間に遊びを設けてヒステリシスを生じさせる必要がある。
【００２７】
そこで、図７に示すように回転板４１の中央に形成したＤ穴４０の回り止め部を直線にせず、左回転時の回り止め部４０ａと右回転時の回り止め部４０ｂとを別個に形成した。そして、両回り止め部４０ａ，４０ｂが本実施の形態では１１度の角度を成すようにした。これにより、回動軸３１を左回転させた状態から右回転すると、回転板４１は回動軸３１に対して１１度遅れて回転することになる。
【００２８】
バネ板４３には３個の孔４３ａ，４３ｂ，４３ｃが設けられている。図８に示すように、回動軸３１を消火位置から左方向に回転させると、点火位置で（ａ）に示すように鋼球４２ｃが孔４３ｂに嵌ってクリック感が生じる（図９のＴ１）。点火が完了して更に回動軸３１を左方向に回動する際に、鋼球４２ｃを孔４３ｂから脱出させるトルクが必要になる。
【００２９】
更に回動軸３１を左方向に回動すると、（ｂ）に示すように、鋼球４２ｃが孔４３ｃに嵌るのと同時に鋼球４２ｂが孔４３ｂに嵌る。この位置は図９のＫ１に示すように、左回転時における逆火領域の直前の位置になる。更に左方向に回動して親バーナ２１の火力を絞るには２個の鋼球４２ｂ，４２ｃを２個の孔４３ｂ，４３ｃから同時に脱出させるのに必要なトルクを回動軸３１に作用させなければならない。そしてそのトルクの大きさは上記点火位置を脱する際に必要なトルクの約２倍となる。
【００３０】
その大きなトルクを与えて逆火領域手前の状態を脱すると、回動軸３１には依然として大きなトルクが作用しているので回動軸３１は一気に左方向に回動して逆火領域を通過する。すると、次に（ｃ）で示すように鋼球４２ａが孔４３ａに嵌ると同時に鋼球４２ｂが孔４３ｃに嵌る。この位置は図９のＫ２に示すように逆火領域を通過した位置である。回動軸３１は更に左方向に回動することができ、最終的には約１８０度の位置であるＭＩＮで示す位置まで回動することができる。その位置から回動軸３１を右方向に戻す際には、上述のようにヒステリシスが生じるので、図９に破線で示した経路を通ることになる。この場合、右方向での逆火領域の手前（図９のＫ３）では図８の（ｃ）に示す状態となってクリック感が生じ、この（ｃ）に示す状態から回動軸３１を更に右方向に回動するために大きなトルクが必要となる。そして、そのような大きなトルクを作用させると（ｃ）の状態から図９のＫ４に示す位置まで回動軸３１が一気に回され（ｂ）の状態になり、逆火領域で停止することなく逆火領域を通過することになる。
【００３１】
ところで、上記実施の形態では、３個の孔４３ｃ，４３ｂ，４３ｃを用いて５カ所（Ｔ１，Ｋ１，Ｋ２，Ｋ３，Ｋ４）でクリック感が生じるようにしたが、例えば図１０に示すように、５個の孔を用いてクリック感が生じるようにしてもよい。このものでは、点火位置では１個の鋼球４４ａが１個の孔４５ａに嵌ることにより小さなクリック感が生じる（ａ）。次にＫ１の位置では（ｂ）に示すように、２個の鋼球４４ｂ，４４ｃが２個の孔４５ｂに同時に嵌ることにより大きなクリック感が生じる。そして、その状態から大きなトルクを回動軸３１に作用させて左方向に回動させると、（ｃ）に示すように、逆火領域を通過した後（Ｋ２の位置）でこれら２個の鋼球４４ｂ,４４ｃが２個の孔４５ｃに同時に嵌ってクリック感が生じる。また、右方向に戻す際に逆火領域の手前のＫ３で（ｃ）に示す状態となってクリック感が生じ、逆火領域を通過した後のＫ４で（ｂ）に示す状態となってクリック感が生じることは、上記図８に示した実施の形態と同様である。
【００３２】
なお、上記実施の形態では、点火位置で鋼球１個によるクリック感を持たせ（図８，図１０の（ａ）に示す状態）、逆火領域の前後で２個の鋼球によるクリック感を発生させたが（同(ｂ)(ｃ)に示す状態）、点火位置でのクリック感の発生を廃止し、逆火領域の前後でのクリック感を鋼球１個により発生させるようにしてもよい。また、その他の点についても本発明は上記した形態に限定されるものではなく、本発明の要旨を逸脱しない範囲内において種々の変更を加えてもかまわない。
【符号の説明】
【００３３】
１  ガスコンロ装置
２  ガスバーナ
１１  火力調節つまみ
２１  親バーナ
２２  子バーナ
３  ガスコック
【図１】
0005208238.tif 000002
【図２】
0005208238.tif 000003
【図３】
0005208238.tif 000004
【図４】
0005208238.tif 000005
【図５】
0005208238.tif 000006
【図６】
0005208238.tif 000007
【図７】
0005208238.tif 000008
【図８】
0005208238.tif 000009
【図９】
0005208238.tif 000010
【図１０】
0005208238.tif 000011